【手続補正書】
【提出日】平成26年3月18日(2014.3.18)
【手続補正１】
【補正対象書類名】明細書
【補正対象項目名】００１４
【補正方法】変更
【補正の内容】
【００１４】
上記目的を達成するために、本発明の撮像装置は、光学系の射出瞳の異なる領域を通った光束をそれぞれ独立に受光して得られた像信号を出力可能な撮像素子と、振れ検出手段により検出された、撮像装置に加わる振れ量に対応する像ブレを補正するように駆動する振れ補正手段の駆動に応じて、前記射出瞳の異なる領域毎の像信号に対する、前記振れ補正手段の移動による前記光束のケラレの影響を補正する補正値を算出する算出手段と、前記算出手段により算出された補正値を用いて、前記射出瞳の異なる領域毎の像信号を補正する補正手段と、前記補正手段により補正された、前記射出瞳の異なる領域毎の像信号の位相差に基づいて、焦点調節を行う焦点調節手段とを有する。
【手続補正２】
【補正対象書類名】明細書
【補正対象項目名】００２４
【補正方法】変更
【補正の内容】
【００２４】
１２６はフォーカス駆動回路で、焦点検出結果に基づいてフォーカスアクチュエータ１１４を駆動制御し、第３レンズ群１０４を光軸方向に進退駆動して焦点調節を行う。補正レンズ駆動回路１２７は振れ量算出部１２３により算出された振れ量に基づいてＣＰＵ１２１により求められた駆動量に基づいて、補正レンズアクチュエータ１１３を駆動制御して第２レンズ群１０３の偏心移動の制御を行う。１２８は絞り駆動回路で、絞りアクチュエータ１１２を駆動制御して絞り兼用シャッタ１０２の開口を制御する。１２９はズーム駆動回路で、撮影者のズーム操作に応じてズームアクチュエータ１１１を駆動する。
【手続補正３】
【補正対象書類名】明細書
【補正対象項目名】００２７
【補正方法】変更
【補正の内容】
【００２７】
図２中、Ｙ方向に一列に配置された、焦点検出用画素２０１と同様の形状を有する画素群と、焦点検出用画素２０２と同様の形状を有する画素群とから得られる一対の像（Ａ像、Ｂ像）の波形を用いて、Ｘ方向への縦縞パターンの被写体の焦点状態を検出する。
【手続補正４】
【補正対象書類名】明細書
【補正対象項目名】００２８
【補正方法】変更
【補正の内容】
【００２８】
また、図２のＸ方向に一列に配置された、焦点検出用画素２０３と同様の形状を有する画素群と、焦点検出用画素２０４と同様の形状を有する画素群とから得られる一対の像（Ａ像、Ｂ像）の波形を用いて、Ｙ方向への横縞パターンの被写体の焦点状態を検出する。
【手続補正５】
【補正対象書類名】明細書
【補正対象項目名】００３９
【補正方法】変更
【補正の内容】
【００３９】
図２〜図４を参照して説明したような構成を有する撮像素子１０６から得られる光電変換信号を用いて位相差方式の焦点検出処理を行う場合、焦点検出と同時に、リアルタイムに撮像素子が受光した画像のライブビュー表示や、動画の撮影を行うことができる。
【手続補正６】
【補正対象書類名】明細書
【補正対象項目名】００４０
【補正方法】変更
【補正の内容】
【００４０】
図５は撮影光学系中の第２レンズ群１０３が、振れ補正のために偏心移動された場合を示している。図中、第１レンズ群１０１は、物体側より正の屈折力、第２レンズ群１０３は（補正レンズ群）負の屈折力、第３レンズ群１０４は正の屈折力を有している。第２レンズ群１０３を光軸と直交方向に偏心移動を行うことで結像位置変位作用を発生させて像ブレを打ち消す。また、画面中心光束をＬ０、周辺光束をＬ１とする。
【手続補正７】
【補正対象書類名】明細書
【補正対象項目名】００４６
【補正方法】変更
【補正の内容】
【００４６】
撮像素子１０６の構成が図４で示したものである場合、図７の光電変換部７０２と７０３が図４の光電変換部４０３と４０４と対応している際には図４の４０１と４０２光電変換部は図７の光電変換部７０２と７０３と重なった奥行き方向に存在している。
【手続補正８】
【補正対象書類名】明細書
【補正対象項目名】００６３
【補正方法】変更
【補正の内容】
【００６３】
一方、Ｓ１０９にて合焦していないと判断した場合には、Ｓ１１０においてＳ１０８で算出されたデフォーカス量に基づいて、合焦状態にするためのフォーカス駆動量を求める。そして、フォーカス駆動回路１２６及びフォーカスアクチュエータ１１４を介して、第３レンズ群１０４を駆動してからＳ１０１に戻り、上記処理を繰り返す。
【手続補正９】
【補正対象書類名】特許請求の範囲
【補正対象項目名】全文
【補正方法】変更
【補正の内容】
【特許請求の範囲】
【請求項１】
光学系の射出瞳の異なる領域を通った光束をそれぞれ独立に受光して得られた像信号を出力可能な撮像素子と、
振れ検出手段により検出された、撮像装置に加わる振れ量に対応する像ブレを補正するように駆動する振れ補正手段の駆動に応じて、前記射出瞳の異なる領域毎の像信号に対する、前記振れ補正手段の移動による前記光束のケラレの影響を補正する補正値を算出する算出手段と、
前記算出手段により算出された補正値を用いて、前記射出瞳の異なる領域毎の像信号を補正する補正手段と、
前記補正手段により補正された、前記射出瞳の異なる領域毎の像信号の位相差に基づいて、焦点調節を行う焦点調節手段と
を有することを特徴とする撮像装置。
【請求項２】
前記算出手段は、前記振れ補正手段の位置に応じて、前記補正値を算出することを特徴とする請求項１に記載の撮像装置。
【請求項３】
前記算出手段は、前記撮像素子の電荷蓄積時間内における平均的な前記振れ補正手段の位置に応じて、前記補正値を算出することを特徴とする請求項２に記載の撮像装置。
【請求項４】
前記振れ補正手段の位置に対する前記補正値を記憶する記憶手段を更に有し、
前記算出手段は、前記振れ補正手段の位置に対応する補正値を前記記憶手段から読み出すことを特徴とする請求項２または３に記載の撮像装置。
【請求項５】
前記振れ補正手段の位置に対する前記補正値を求めるための式に用いる係数を記憶する記憶手段を更に有し、
前記算出手段は、前記振れ補正手段の位置に対応する係数を前記記憶手段から読み出し、前記式を用いて前記補正値を算出することを特徴とする請求項２または３に記載の撮像装置。
【請求項６】
前記撮像素子は、前記射出瞳の異なる領域を通った光束をそれぞれ独立に受光して得られた像信号をそれぞれ出力可能な焦点検出用の画素を含む複数の画素を有することを特徴とする請求項１乃至５のいずれか１項に記載の撮像装置。
【請求項７】
前記撮像素子は、前記焦点検出用の画素を含む複数の画素が２次元に配置されていることを特徴とする請求項６に記載の撮像装置。
【請求項８】
前記撮像素子は、マイクロレンズと該マイクロレンズを共有する複数の光電変換手段とを各々が備えた複数の画素を有することを特徴とする請求項１乃至５のいずれか１項に記載の撮像装置。
【請求項９】
１つのマイクロレンズに対して複数の光電変換素子を有し、当該マイクロレンズが２次元状に配列されている撮像素子と、
振れ検出手段により検出された、撮像装置に加わる振れ量に対応する像ブレを補正するように駆動する振れ補正手段の駆動に応じて、前記光電変換素子の異なる領域毎の信号に対する、前記振れ補正手段の移動による前記光束のケラレの影響を補正する補正値を算出する算出手段と、
前記算出手段により算出された補正値を用いて、前記光電変換素子の異なる領域毎の信号を補正する補正手段と、
前記補正手段により補正された、前記光電変換素子の異なる領域毎の信号に基づいて、位相差検出方式の焦点調節を行う焦点調節手段と
を有することを特徴とする撮像装置。
【請求項１０】
撮像装置の制御方法であって、
光学系の射出瞳の異なる領域を通った光束をそれぞれ独立に受光して得られた像信号を出力可能な撮像素子から、前記射出瞳の異なる領域毎の像信号を読み出す読み出し工程と、
振れ検出手段により検出された前記撮像装置に加わる振れ量に対応する像ブレを補正するように駆動する振れ補正手段の駆動に応じて、前記読み出し工程で読み出された前記射出瞳の異なる領域毎の像信号に対する、前記振れ補正手段の移動による前記光束のケラレの影響を補正する補正値を算出する算出工程と、
前記算出工程で算出された補正値を用いて、前記射出瞳の異なる領域毎の像信号を補正する補正工程と、
前記補正工程で補正された、前記射出瞳の異なる領域毎の像信号の位相差に基づいて、焦点調節を行う焦点調節工程と
を有することを特徴とする撮像装置の制御方法。
【請求項１１】
撮像装置の制御方法であって、
１つのマイクロレンズに対して複数の光電変換素子を有し、当該マイクロレンズが２次元状に配列されている撮像素子から、前記光電変換素子の異なる領域毎の信号を読み出す読み出し工程と、
振れ検出手段により検出された前記撮像装置に加わる振れ量に対応する像ブレを補正するように駆動する振れ補正手段の駆動に応じて、前記読み出し工程で読み出された前記光電変換素子の異なる領域毎の信号に対する、前記振れ補正手段の移動による前記光束のケラレの影響を補正する補正値を算出する算出工程と、
前記算出工程で算出された補正値を用いて、前記光電変換素子の異なる領域毎の信号を補正する補正工程と、
前記補正工程で補正された、前記光電変換素子の異なる領域毎の信号に基づいて、位相差検出方式の焦点調節を行う焦点調節工程と
を有することを特徴とする撮像装置の制御方法。
【手続補正１０】
【補正対象書類名】図面
【補正対象項目名】図７
【補正方法】変更
【補正の内容】
【図７】
2012226213.tif 000001